(57)【要約】【課題】「周囲の明るさ」に応じて「画面の明るさ」を自動調整する際に、「画面の明るさ」がユーザ好みにより適切に自動調整されるようにする。【解決手段】光センサ４により検出された「周囲の明るさ」に応じて表示部６で表示される「画面の明るさ」を制御する。「周囲の明るさ設定値」と「画面の明るさ設定値」とを対として２個設定することにより、明るいＡ１点と暗いＢ１点を求め、該Ａ１点とＢ１点で決まる明るさ補正の特性を設定し、該特性によって、前記制御を行う。【選択図】図１
2008209507.tif 000002
【特許請求の範囲】
【請求項１】
光センサにより検出された「周囲の明るさ」に応じて映像表示装置の「画面の明るさ」を制御する明るさ補正制御方法において、
前記映像表示装置の前記「画面の明るさ」を制御するための複数の「周囲の明るさ設定値」とそれらに対応する「画面の明るさ設定値」のデータを記憶手段を有し、
前記「周囲の明るさ設定値」とそれに対応する前記「画面の明るさ設定値」を少なくとも２組設定することにより、この２組のデータを基に前記「画面の明るさ」が変化するようにしたことを特徴とする明るさ補正制御方法。
【請求項２】
請求項１に記載の明るさ補正制御方法において、
前記「画面の明るさ」が、リニアに変化するようにしたことを特徴とする明るさ補正制御方法。
【請求項３】
請求項１に記載の明るさ補正制御方法において、
前記「画面の明るさ」が、前記２組のデータ間において１又は２以上の段差を生じた２値又は多値に変化するようにしたことを特徴とする明るさ補正制御方法。
【請求項４】
請求項１に記載の明るさ補正制御方法において、
前記「画面の明るさ」の最大輝度又は最小輝度のリミット値を設定できるようにしたことを特徴とする明るさ補正制御方法。
【発明の詳細な説明】
【技術分野】
【０００１】
本発明は、テレビモニタ、カーナビゲーションモニタ、携帯電話機表示部等の情報表示を行う映像表示装置の明るさ補正制御方法に係り、特に「周囲の明るさ」に応じて「画面の明るさ」を自動調整する明るさ補正制御方法に関するものである。
【背景技術】
【０００２】
映像表示装置として、図７に示すように、「周囲の明るさ」に応じて「画面の明るさ」を最大値から最小値まで変化させるようにしたものが提案されている（例えば、特許文献１参照）。ここでは、「周囲の明るさ」が光センサで検出されれば、例えば、特性Ｐ１１によって、映像表示装置の「画面の明るさ」が自動設定される。
【０００３】
図７において、Ａ点は、ユーザが、最大の「画面の明るさ」となる「周囲の明るさ」を決める調整点であり、Ｂ点は、ユーザが、光センサにより検出される最小レベルの「周囲の明るさ」での「画面の明るさ」を決める調整点である。これにより、ユーザの好みに応じて、最小の「周囲の明るさ」での「画面の明るさ」と、最大の「画面の明るさ」での「周囲の明るさ」を決定して、例えば、別の特性Ｐ１２を設定することが可能となる。
【特許文献１】特表２００１−５２２０５８号公報
【発明の開示】
【発明が解決しようとする課題】
【０００４】
ところが、上記図７における最小の「周囲の明るさ」での「画面の明るさ」と、最大の「画面の明るさ」での「周囲の明るさ」の設定は、最小点や最大点で「周囲の明るさ」と「画面の明るさ」の一方のみを設定するものであり、ユーザの好みを十分反映させることは困難であった。特に、光センサが感知できる範囲内で最小の「画面の明るさ」が設定できない問題があった。
【０００５】
また、一旦設定すると、「周囲の明るさ」に応じて、「画面の明るさ」が最小から最大まで変化するため、例えば、明るい環境では所定の設定値以上には「画面の明るさ」を上げたくない場合でも、「周囲の明るさ」が上がると「画面の明るさ」が最大まで上がってしまう問題があった。
【０００６】
本発明の目的は、「周囲の明るさ」に応じて「画面の明るさ」を自動調整する際に、「画面の明るさ」がユーザ好みにより適切に自動調整されるようにした明るさ補正制御方法を提供することである。
【課題を解決するための手段】
【０００７】
上記目的を達成するために、請求項１に係る発明は、光センサにより検出された「周囲の明るさ」に応じて映像表示装置の「画面の明るさ」を制御する明るさ補正制御方法において、前記映像表示装置の前記「画面の明るさ」を制御するための複数の「周囲の明るさ設定値」とそれらに対応する「画面の明るさ設定値」のデータを記憶手段を有し、前記「周囲の明るさ設定値」とそれに対応する前記「画面の明るさ設定値」を少なくとも２組設定することにより、この２組のデータを基に前記「画面の明るさ」が変化するようにしたことを特徴とする。
請求項２にかかる発明は、請求項１に記載の明るさ補正制御方法において、前記「画面の明るさ」が、リニアに変化するようにしたことを特徴とする。
請求項３にかかる発明は、請求項１に記載の明るさ補正制御方法において、前記「画面の明るさ」が、前記２組のデータ間において１又は２以上の段差を生じた２値又は多値に変化するようにしたことを特徴とする。
請求項４にかかる発明は、請求項１に記載の明るさ補正制御方法において、前記「画面の明るさ」の最大輝度又は最小輝度のリミット値を設定できるようにしたことを特徴とする。
【発明の効果】
【０００８】
本発明によれば、「周囲の明るさ設定値」とそれに対応する「画面の明るさ設定値」を少なくとも２組設定することにより、この２組のデータを基に「画面の明るさ」が変化するようにしたので、「周囲の明るさ」に応じて「画面の明るさ」を自動調整する際に、「画面の明るさ」がユーザ好みに応じて適切に自動調整されるようにすることが可能となる。また、「画面の明るさ」を２組のデータ間において１又は２以上の段差を生じた２値又は多値に変化するようにし、あるいは画面の明るさの最大輝度又は最小輝度のリミット値を設定するときは、設定の自由度がさらに増える。
【発明を実施するための最良の形態】
【０００９】
図１は本発明の明るさ補正制御方法を実施する映像表示装置の構成を示す機能ブロック図である。１は映像信号処理部、２は制御部、３は設定部、４は光センサ、５は記憶部、６は表示部である。
【００１０】
光センサ４は、「周囲の明るさ」を検出してその検出信号を制御部２に出力する。制御部２は、外部からユーザにより操作される設定部３から、「Ａ／Ｂ選択」、「周囲の明るさ設定値」、「画面の明るさ設定値」、「リニア設定オン／オフ」、「リミット設定オン／オフ」をそれぞれ入力して、明るさ補正の特性を作成設定する。この操作部３としては、映像表示装置に固定的に設置された操作部の他に、リモコンシステムを使用した操作部を使用することができる。
【００１１】
そして、制御部２は、光センサ４で検出した「周囲の明るさ」の検出信号を取り込むことにより、前記作成した明るさ補正の特性に照らし合わせて、「画面の明るさ」を算出して、「コントラスト」および「明るさ」の信号を映像信号処理部１に出力すると共に、「輝度レベル」の信号を表示部６に出力する。
【００１２】
映像信号処理部１では、入力映像信号に対して、制御部２から入力された「コントラスト」および「明るさ」の信号に基づき、映像信号処理を行って表示部６に出力する。表示部６は、映像信号処理部１から出力された映像信号を、制御部２から出力する「輝度レベル」の信号により制御して所定の映像を表示する。このように、本実施例では、映像信号処理部１および表示部６により明るさ補正が行われるが、表示部６のみで行われるようにしても良い。
【００１３】
記憶部５は、各「画面の明るさ」に応じた「コントラスト」、「明るさ」および「輝度レベル」、つまり調整パラメータを記憶する他、前記作成設定した明るさ補正の特性のデータを記憶する。
【００１４】
次に、図２に示すように、明るさ補正の特性が、Ａ，Ｂの２点で規定されたＰ１のようにデフォルトとして設定されている場合において、その特性Ｐ１を特性Ｐ２に修正する設定手順を説明する。このときは、表示部６に図５に示すような操作画面をオンスクリーン表示させて、設定部３を操作して行う。
【００１５】
まず、図５の操作画面中の「リニア設定」の「オン／オフ」をオンにする。そして、「Ａ点（明るい）」を選択し、次に「周囲の明るさ設定値」を０〜３０の間で高い方（このときは、２０）に設定し、次に「画面の明るさ設定値」を０〜３０の間で高い方（このときは、２１）に設定して、Ａ１点の座標（高位側座標）を求める。なお、「リミット設定」の「オン／オフ」はオフにする。
【００１６】
次に、「Ｂ点（暗い）」を選択し、「周囲の明るさ設定値」を０〜３０の間で低い方（このときは、１０）に設定し、「画面の明るさ設定値」を０〜３０の間で低い方（このときは、８）に設定して、Ｂ１点の座標（低位側座標）を求める。なお、上記同様に「リミット設定」の「オン／オフ」はオフにする。
【００１７】
以上により、求まったＡ１点、Ｂ１点の座標に基づき、制御部２は演算を行い、明るさ補正の特性をデフォルトの特性Ｐ１から今回の特性Ｐ２に修正する。また、この特性Ｐ２に関するデータ（Ａ１点、Ｂ１点の座標、リニア設定のオン／オフ、リミット設定のオン／オフ）は記憶部５に記憶される。
【００１８】
図６は記憶部５に記憶されている調整パラメータを示す図であり、この調整パラメータは、「周囲の明るさ」に応じて求めた「画面の明るさ」を実現するための映像信号処理部１での「コントラスト」の制御値と「明るさ」の制御値、および表示部６での「輝度レベル」の制御値である。「周囲の明るさ」をＸ、「画面の明るさ」をＹとすると、デフォルトの特性Ｐ１が、例えば、Ｙ＝Ｘで設定されていた（図２とは異なる）ときは、Ｘ＝２０のとき、Ｙ＝２０となり、「コントラスト」＝±０、「明るさ」＝±０、「輝度レベル」＝８０となる。
【００１９】
ここで、上記のようにＡ１点、Ｂ１点の決定により特性Ｐ２が例えば「Ｙ＝０．８Ｘ＋２」に修正設定された（図２とは異なる）とすると、例えばＸ＝２０のとき、Ｙ＝１８となり、「コントラスト」＝±０、「明るさ」＝−５、「輝度レベル」＝７６となる。
【００２０】
このように、一旦特性Ｐ２が設定されると、実際の動作時には、光センサ４で検出した「周囲の明るさ」に応じて「画面の明るさ」が決定され、この「画面の明るさ」に応じて、「コントラスト」、「明るさ」、「輝度レベル」が記憶部５から読み出され、「コントラスト」と「明るさ」は映像信号処理部１へ、「輝度レベル」は表示部６へ、それぞれ出力されて、表示される映像のコントラストや明るさや輝度が「周囲の明るさ」に応じて制御される。
【００２１】
次に、以上のようにＡ１点、Ｂ１点が設定された後に、図５に示す操作画面を再度表示させて、設定部３により、「リミット設定」をオンにすると、図２の特性Ｐ２は、図３の特性Ｐ３に修正される。この特性Ｐ３では、Ａ１点の座標の「画面の明るさ」が最大値となり、Ｂ１点の座標の「画面の明るさ」が最小値となり、Ａ１点とＢ１点の間でだけ、光センサ３で検出した「周囲の明るさ」に応じて「画面の明るさ」がリニアに制御される。つまり、Ａ１点より「周囲の明るさ」が大きいとき、Ｂ１点より「周囲の明るさ」が小さいときは、「周囲の明るさ」に無関係に、それぞれ所定の一定値となる。
【００２２】
なお、上記した「リミット設定」のオン／オフの選択肢と一緒に、または別に、「上側リミット設定」のオン／オフの選択肢を設けた場合は、それをオンすることにより、Ａ１点の座標の「画面の明るさ」が最大値となる特性となる。また、「下側リミット設定」のオン／オフの選択肢を設けた場合は、それをオンすることにより、Ｂ１点の座標の「画面の明るさ」が最小値となる特性となる。
【００２３】
また、以上のようにＡ１点、Ｂ１点が設定された後に、図５に示す操作画面を再度表示させて、設定部３により、「リニア設定」をオフにすると、図２の特性Ｐ２は、図４の特性Ｐ４に修正される。この特性Ｐ４では、Ａ１点の座標の「画面の明るさ」が最大値となり、Ｂ１点の座標の「画面の明るさ」が最小値となり、且つＡ１点とＢ１点の中間の「周囲の明るさ」の値を境界とする折れ線の特性となる。この特性Ｐ４では、「画面の明るさ」がＡ１点とＢ１点の座標で決まる２値となる。
【００２４】
なお、以上説明した実施例は、Ａ１点とＢ１点の２点の座標を設定する場合についてであったが、３点以上の座標を設定して特性曲線（折れ線あるいはスムーズ化した曲線）を求めることもできる。この場合は、「リミット設定」をオンしたときは最高位側座標と最低位側座標で「画面の明るさ」の最大値、最小値が決まるようにする。同様に、「上側リミット設定」をオンしたときは最高位側座標で「画面の明るさ」の最大値が決まるようにし、「下側リミット設定」をオンしたときは最低位側座標で「画面の明るさ」の最小値が決まるようにする。また、「リニア設定」をオフしたときは、それぞれの隣接する設定点の間に段差が生じた多値の特性曲線にする。例えば、座標が３個の場合は、「画面の明るさ」が３値の特性曲線にする。
【図面の簡単な説明】
【００２５】
【図１】本発明の明るさ補正制御方法を実施する映像表示装置の構成を示す機能ブロック図である。
【図２】本実施例の明るさ補正の特性（リニア補正）の特性図である。
【図３】本実施例の明るさ補正の特性（リミット付きリニア補正）の特性図である。
【図４】本実施例の明るさ補正の特性（非リニア補正）の特性図である。
【図５】本実施例の明るさ補正の特性設定の操作説明図である。
【図６】「画面の明るさ」に対する各調整パラメータの説明図である。
【図７】従来の明るさ補正の特性の特性図である。
【図１】
2008209507.tif 000003
【図２】
2008209507.tif 000004
【図３】
2008209507.tif 000005
【図４】
2008209507.tif 000006
【図５】
2008209507.tif 000007
【図６】
2008209507.tif 000008
【図７】
2008209507.tif 000009